(57)【要約】      （修正有）【課題】競技者が取り付け及び取り外しを容易に操作できるビリヤード用キューのエクステンションを提供する。【解決手段】ビリヤード用キューに取り付けるエクステンション１０であって、競技者が競技中に握ることができる本体部材１１と、略円環形状の部材であり、シャフトとは反対側のバットの一の端面に取り外し可能に該バットを挿入して取り付けられる取付部材１２と、取付部材１２をバットに固定する固定部材１３とを有し、取付部材１２は、本体部材１１の略円錐形状の底面側に接続され、略円環形状の一部にスリット形状の開口を形成するスリット部１２Ａを備え、固定部材１３は、取付部材１２よりも直径が大きい略円環形状の部材であり、該取付部材１２の外縁に同一の中心軸上の位置で配置され、取付部材１２の略円環形状の外形は、略円錐状に直径が次第に増加する勾配形状である。【選択図】図２
0003215249.tif 000002
【実用新案登録請求の範囲】
【請求項１】
シャフトとバットを接続して構成するビリヤード用キューの前記バットに取り付けるエクステンションであって、
競技者が競技中に握ることができる本体部材と、
略円環形状の部材であり、前記シャフトとは反対側の前記バットの一の端面に取り外し可能に該バットを挿入して取り付けられる取付部材と、
前記取付部材を前記バットに固定する固定部材と
を有し、
前記本体部材は、略円錐形状の部材であり、
前記取付部材は、前記本体部材の略円錐形状の底面側に接続され、略円環形状の一部にスリット形状の開口を形成するスリット部を備え、
前記固定部材は、前記取付部材よりも直径が大きい略円環形状の部材であり、該取付部材の外縁に同一の中心軸上の位置で配置され、
前記取付部材の略円環形状の外形は、略円錐状に直径が次第に増加する勾配形状である、
ことを特徴とするビリヤード用キューのエクステンション。
【請求項２】
前記固定部材は、前記バットに取り付け時に、前記取付部材と同一の中心軸上で前記バットの方向に移動され、該取付部材の勾配形状に応じた該取付部材の外形の直径の増加に対応して、該固定部材の内面で該取付部材の外面を圧搾し、前記スリット部の間隙の間隔を減少させ、該取付部材を該バットに固定する、
ことを特徴とする、請求項１に記載のビリヤード用キューのエクステンション。
【請求項３】
前記固定部材は、前記バットからの取り外し時に、前記取付部材と同一の中心軸上で前記バットとは反対方向に移動され、該取付部材の勾配形状に応じた該取付部材の外形の直径の減少に対応して、該固定部材の内面で該取付部材の外面を圧搾している圧力を解放し、前記スリット部の間隙の間隔を増加させ、該取付部材を該バットから取り外し易くする、
ことを特徴とする、請求項１または請求項２に記載のビリヤード用キューのエクステンション。
【考案の詳細な説明】
【技術分野】
【０００１】
本考案は、玉突き競技のビリヤード用キューに取り付けるエクステンションに関する。
【背景技術】
【０００２】
ビリヤード用キューは、シャフトとバットを分離可能に連結して構成される。特許文献１では、シャフトとバットを接続して成るビリヤード用キューのバットであり、先部分と後部分との少なくとも２部材を組み合わせて成り、一方の部材に円断面の中央に本体部分から長手方向に突出した挿入部分を形成し、かつ挿入部分に雄ネジを形成し、他方の部材の端面の円断面中央部分に開口する被挿入孔を形成し被挿入孔に雄ネジに対応する位置に雌ネジを形成し、挿入部分を被挿入孔へ挿入するとともに雄ネジと雌ネジを螺合させて２部材を嵌合してバットを形成することを特徴とするビリヤード用キューのバットに関する技術を開示している。特許文献２では、中空部が形成された棒状のバットと、該バットとジョイントを介して接続された中空部が形成された棒状のシャフトとを備える棒状のビリヤード用キューにおいて、前記シャフトの先端側領域の肉厚が、前記シャフトの基端側領域の肉厚よりも薄いことを特徴とするビリヤード用キューに関する技術を開示している。
【先行技術文献】
【特許文献】
【０００３】
【特許文献１】特開２００７−２０９３９３号公報
【特許文献２】特開２００５−６５８０１号公報
【考案の概要】
【考案が解決しようとする課題】
【０００４】
しかしながら、特許文献１および特許文献２に開示されている技術では、ビリヤード用キューの長さが制限されるため、操作の体勢や力の入れ加減を操作し難い場合がある。また、特許文献１および特許文献２には、ビリヤード用キューの長さを所望の長さに調整できる方法が記載されていない。
【０００５】
本考案は、競技者が自由に取り付け及び取り外しでき、且つ、取り付け及び取り外し操作が容易なビリヤード用キューのエクステンションを提供することを目的とする。
【課題を解決するための手段】
【０００６】
上記課題を解決するために、本考案の一つの実施形態は、シャフトとバットを接続して構成するビリヤード用キューの前記バットに取り付けるエクステンションであって、競技者が競技中に握ることができる本体部材と、略円環形状の部材であり、前記シャフトとは反対側の前記バットの一の端面に取り外し可能に該バットを挿入して取り付けられる取付部材と、前記取付部材を前記バットに固定する固定部材とを有し、前記本体部材は、略円錐形状の部材であり、前記取付部材は、前記本体部材の略円錐形状の底面側に接続され、略円環形状の一部にスリット形状の開口を形成するスリット部を備え、前記固定部材は、前記取付部材よりも直径が大きい略円環形状の部材であり、該取付部材の外縁に同一の中心軸上の位置で配置され、前記取付部材の略円環形状の外形は、略円錐状に直径が次第に増加する勾配形状である、ことを特徴とするビリヤード用キューのエクステンションを提供する。
【０００７】
本考案の他の実施形態は、上記のビリヤード用キューのエクステンションであって、前記固定部材は、前記バットに取り付け時に、前記取付部材と同一の中心軸上で前記バットの方向に移動され、該取付部材の勾配形状に応じた該取付部材の外形の直径の増加に対応して、該固定部材の内面で該取付部材の外面を圧搾し、前記スリット部の間隙の間隔を減少させ、該取付部材を該バットに固定する、ことを特徴とするビリヤード用キューのエクステンションであってもよい。
【０００８】
本考案の他の実施形態は、上記のいずれか１つのビリヤード用キューのエクステンションであって、前記固定部材は、前記バットからの取り外し時に、前記取付部材と同一の中心軸上で前記バットとは反対方向に移動され、該取付部材の勾配形状に応じた該取付部材の外形の直径の減少に対応して、該固定部材の内面で該取付部材の外面を圧搾している圧力を解放し、前記スリット部の間隙の間隔を増加させ、該取付部材を該バットから取り外し易くする、ことを特徴とするビリヤード用キューのエクステンションであってもよい。
【考案の効果】
【０００９】
本考案に係るビリヤード用キューのエクステンションによれば、競技者が自由に取り付け及び取り外しでき、且つ、取り付け及び取り外しを容易に操作できる。また、本考案に係るビリヤード用キューのエクステンションによれば、ビリヤード用キューの長さを所望の長さに調整することができる。
【図面の簡単な説明】
【００１０】
【図１】本考案の実施形態に係るビリヤード用キューのエクステンションの一例を説明する説明図である。
【図２】本考案の実施形態に係るビリヤード用キューのエクステンションの使用例（取り付け方法）の一例を説明する説明図である。
【考案を実施するための形態】
【００１１】
実施形態に係るビリヤード用キューのエクステンションの例を用いて、本考案を説明する。なお、本考案は、以後に説明するビリヤード用キューのエクステンション以外でも、玉突き競技に用いる用具、運動具、道具などであれば、いずれのものにも用いることができる。なお、ビリヤード用キューのエクステンションの素材、色、大きさは、特に限定されない。ビリヤード用キューのエクステンションの色は、透明、半透明、色付きのものであってもよい。ビリヤード用キューのエクステンションの色は、例えば使用者（消費者）の趣味趣向に合わせた柄のものであってもよい。また、本考案に係るビリヤード用キューのエクステンションの形状は、設計、実験、計算などで予め定められる形状とすることができる。また、本考案に係るビリヤード用キューのエクステンションの形状は、角が丸まったもの又は尖ったものであってもよい。また、本考案に係るビリヤード用キューのエクステンションの材質は、カーボン、木、鉄、合金、シリコン、塩化ビニル、合成樹脂又はエンジニアリングプラスチックなどを用いることができる。
【００１２】
以後に、本考案を説明する。
【００１３】
図１及び図２を用いて、本考案の実施形態に係るビリヤード用キューのエクステンションの構成を説明する。ここで、図１（ａ）は、ビリヤード用キュー１００の一例を説明する説明図である。図１（ｂ）は、本考案の実施形態に係るビリヤード用キューのエクステンション１０の一例を説明する説明図である。図２（ａ）は、本考案の実施形態に係るビリヤード用キューのエクステンション１０の一例を説明する拡大正面図である。図２（ｂ）は、本考案の実施形態に係るビリヤード用キューのエクステンション１０の一例を説明する拡大左側面図である。図２（ｃ）は、本考案の実施形態に係るビリヤード用キューのエクステンション１０の使用例（取り付け方法）の一例を説明する説明図である。なお、図１等に示すビリヤード用キューのエクステンションの構成等は一例であり、本考案は図１等に示すビリヤード用キューのエクステンション等に限定されるものではない。
【００１４】
本考案に係るビリヤード用キューのエクステンションは、操作性を向上するために、競技者が競技中にビリヤード用キューのバットに取り付けるものである。図１（ａ）および図１（ｂ）に示すように、本考案に係るエクステンション１０は、シャフト１０１とバット１０２を接続して構成するビリヤード用キュー１００のバット１０２に取り付けられる。なお、本考案に係るエクステンション１０の素材、色は、特に限定されない。なお、本考案に係るエクステンション１０は、所定のデザインとなるような色でもよく、所定の模様や文字情報などが印字されていてもよい。
【００１５】
図２（ａ）および図２（ｂ）に示すように、本考案に係るビリヤード用キューのエクステンション１０は、競技者が競技中に握ることができる本体部材１１と、シャフト１０１（図１（ａ））とは反対側のバット１０２（図１（ａ））の一の端面に取り外し可能にバット１０２を挿入して取り付けられる取付部材１２と、取付部材１２をバット１０２に固定する固定部材１３とを有する。
【００１６】
本体部材１１は、競技者が競技中に握る部材である。図２（ａ）に示すように、本体部材１１は、略円錐形状の部材である。なお、本体部材１１の形状は、設計、実験、計算などで予め定められる形状とすることができる。
【００１７】
取付部材１２は、略円環形状の部材であり、エクステンション１０をバット１０２（図１（ａ））に取り外し可能に取り付ける部材である。また、取付部材１２の略円環形状の外形は、略円錐状に直径が次第に増加する勾配形状である。取付部材１２は、本体部材１１の略円錐形状の底面側に接続される。図２（ａ）および図２（ｂ）に示すように、取付部材１２は、略円環形状の一部にスリット形状の開口を形成するスリット部１２Ａを備える。なお、取付部材１２およびスリット部１２Ａの形状は、設計、実験、計算などで予め定められる形状とすることができる。また、本考案に係る取付部材１２のスリット部１２Ａは、１つまたは２つ以上であってもよい。
【００１８】
固定部材１３は、取付部材１２をバット１０２に固定する部材である。図２（ａ）および図２（ｂ）に示すように、固定部材１３は、取付部材１２よりも直径が大きい略円環形状の部材である。また、図２（ａ）および図２（ｂ）に示すように、固定部材１３は、取付部材の外縁に同一の中心軸上の位置で配置される。
【００１９】
固定部材１３は、バット１０２に取り付け時に、取付部材１２と同一の中心軸上でバット１０２の方向に移動される（図２（ｃ）のＭｃ）。これにより、固定部材１３は、取付部材１２の勾配形状に応じた取付部材１２の外形の直径の増加に対応して、固定部材１３の内面で取付部材１２の外面を圧搾し、スリット部１２Ａの間隙の間隔を減少させ、取付部材１２をバット１０２に固定することができる。
【００２０】
固定部材１３は、バット１０２からの取り外し時に、取付部材１２と同一の中心軸上でバット１０２とは反対方向に移動される。これにより、固定部材１３は、取付部材１２の勾配形状に応じた取付部材１２の外形の直径の減少に対応して、固定部材１３の内面で取付部材１２の外面を圧搾している圧力を解放し、スリット部１２Ａの間隙の間隔を増加させ、取付部材１２をバット１０２から取り外し易くすることができる。
【００２１】
以上のとおり、本考案に係るビリヤード用キューのエクステンションによれば、競技者が自由に取り付け及び取り外しでき、且つ、取り付け及び取り外しを容易に操作できる。また、本考案に係るビリヤード用キューのエクステンションによれば、ビリヤード用キューの長さを所望の長さに調整することができる。更に、本考案に係るビリヤード用キューのエクステンションを利用することによって、競技者は操作の体勢や力の入れ加減を操作し易くすることができる。
【００２２】
また、本考案に係るビリヤード用キューのエクステンションによれば、ねじ込み式や締め込み式・食い込ませる方式と比較して、装着にかかる時間を短縮することができ（時間制限ルールの「３０秒ルール」に対応でき）、キューが傷つくのを防止することができ、競技中に外れにくいエクステンションを実現することができる。また、本考案に係るビリヤード用キューのエクステンションによれば、本体部材１１および取付部材１２を中空とすることで、軽量化することができる。更に、本考案に係るビリヤード用キューのエクステンションによれば、広告表示スペース欄またメモ書き欄を設けることができるので、広告宣伝機能を持たせることができる。
【００２３】
以上のとおり、本考案に係る実施形態について説明したが、本考案は上記の実施形態に
限定されるものではない。すなわち、本考案は、実用新案登録請求の範囲に記載の内容に
基づいて、様々に変形、変更又はその他任意に改変され得る。
【符号の説明】
【００２４】
１００  ：  ビリヤード用キュー
１０１  ：  シャフト
１０２  ：  バット
１０  ：  エクステンション
１１  ：  本体部材
１２  ：  取付部材
１２Ａ：  スリット部
１３  ：  固定部材
【図１】
0003215249.tif 000003
【図２】
0003215249.tif 000004